(57)【要約】【課題】  本発明は、べとつきが少なく、鮮やかな色彩となる粘土であって、着色剤が手や工作具に色移りしたり、接触する粘土同士が経時的に色移りして色が混じり合うことがない工作用粘土を提供するものである。【解決手段】  水性粘土材料、食用色素及び/又は天然色素、水からなる工作用粘土に、脱脂粉乳、カゼイン、カゼインナトリウム、カゼインカルシウム、カゼインカリウム、カゼインマグネシウムから選ばれる１種又は２種以上を添加したことを特徴とする工作用粘土。【特許請求の範囲】
【請求項１】
水性粘土材料、食用色素及び/又は天然色素、水からなる工作用粘土に、脱脂粉乳、カゼイン、カゼインナトリウム、カゼインカルシウム、カゼインカリウム、カゼインマグネシウムから選ばれる１種又は２種以上を添加したことを特徴とする工作用粘土。
【発明の詳細な説明】
【技術分野】
【０００１】
本発明は、色移りを防止できるカラー工作用粘土に関するものである。
【背景技術】
【０００２】
従来より、学校や家庭で使用されている工作用粘土としては、特開昭４８−０７６６２３号、特開昭５３−１２８４２６号、特開平０１−２８５９８２号など種々の材料を混練した人工粘土が知られており、また、色調を与えるために種々の着色された粘土が提案されている。
これらの粘土は無機物質や小麦粉やセルロースなどを主材料とし、充填材、糊剤、防腐防かび剤などを添加混練して作られている。そして、カラー粘土を要するときは、更に染料、顔料などの着色剤を添加して作製している。
しかし、カラー粘土はその取り扱い中に着色剤が手や工作具に色移りしたり、様々な色に着色した粘土を用いてカラフルに仕上げた作品の粘土同士が、経時的に色移りして色が混じってしまう欠点があった。
【０００３】
【特許文献１】特開昭４８−０７６６２３号公報
【特許文献２】特開昭５３−１２８４２６号公報
【特許文献３】特開平０１−２８５９８２号公報
【発明の開示】
【発明が解決しようとする課題】
【０００４】
そこで、本発明は、べとつきが少なく、鮮やかな色彩となる粘土であって、着色剤が手や工作具に色移りしたり、接触する粘土同士が経時的に色移りして色が混じり合うことがない工作用粘土を提供するものである。
【課題を解決するための手段】
【０００５】
前記課題を解決するために、水性粘土材料、食用色素及び/又は天然色素、水からなる工作用粘土に、脱脂粉乳、カゼイン、カゼインナトリウム、カゼインカルシウム、カゼインカリウム、カゼインマグネシウムから選ばれる１種又は２種以上を添加したことを特徴とする工作用粘土を提供する。
【発明の効果】
【０００６】
本発明によれば、べとつきが少なく、均一で鮮やかな色彩となる工作用粘土が得られ、かつ、着色剤が手や工作具に色移りしたり、接触する粘土同士が経時的に色移りして色が混じり合うことがない工作用粘土が得られた。
【発明を実施するための最良の形態】
【０００７】
以下、本発明の詳細を説明する。
本発明に用いられる水性粘土材料は、水と混練りすると粘土状になる物質を総称したものであって、セルロースを主材料としたパルプ粉末、小麦を主材料とした小麦粉、カンテンを主材料としたカンテン粘土の粉末、デンプンを主材料としたデンプン粘土の粉末などを例示することができる。水性粘土材料は粘土全体量に対し、好ましくは１０〜８０重量％を用いることができる。
【０００８】
本発明に用いられる着色剤としては、食用色素及び/又は天然色素が用いられ、食用赤色２号（C.I.Number : C.I.16185、Color Index Name : Acid Red 27）、食用赤色３号（C.I.Number : C.I.45430、Color Index Name : Acid Red 51）、食用赤色４０号（C.I.Number : C.I.16035、Color Index Name : Food Red 17）、食用赤色１０２号（C.I.Number : C.I.16255、Color Index Name : Acid Red 18）、食用赤色１０４号（C.I.Number : C.I.45410、Color Index Name : Acid Red 92）、食用赤色１０５号（C.I.Number : C.I.45440、Color Index Name : Acid Red 94）、食用赤色１０６号（C.I.Number : C.I.45100、Color Index Name : Acid Red 52）、食用黄色４号（C.I.Number : C.I.19140、Color Index Name : Acid Yellow 23）、食用黄色５号（C.I.Number : C.I.15985、Color Index Name : Food Yellow 3）、食用緑色３号（C.I.Number : C.I.42053、Color Index Name : Food Green 3）、食用青色１号（C.I.Number : C.I.42090、Color Index Name : Food Blue 2）、食用青色２号（C.I.Number : C.I.73015、Color Index Name : Acid Blue 74）などの食用染料色素や、食用赤色２号アルミニウムレーキ、食用赤色３号アルミニウムレーキ、食用赤色４０号アルミニウムレーキ、食用黄色４号アルミニウムレーキ、食用黄色５号アルミニウムレーキ、食用緑色３号アルミニウムレーキ、食用青色１号アルミニウムレーキ、食用青色２号アルミニウムレーキなどの食用顔料色素や、ベニコウジ色素（Monascus Color）、β-カロテン（beta-Carotene ）、ラック色素（Laccaic Acid）、コチニール色素（Cochineal Extract）、パプリカ色素（Paprika Oleoresin）、ビートレッド（Beet Red）、アントシアニン色素（Anthocyanins）、クチナシ色素（Gardenia Extract）、ベニバナ色素（Carthamus Extract）、ウコン色素（Turmeric Oleoresin）、アナトー色素（Annatto Extracts）、クロロフィル（Chlorophylls）、カキ色素（Japanese Persimmon Color）、タマリンド色素（Tamarind Color）、カラメル色素（Caramel）などの天然色素を用いることができる。前記食用色素及び/又は天然色素から選ばれる着色剤は、１又は２以上を用いることができ、粘土全体量に対し好ましくは０．００１〜２０重量％を用いることができる。
【０００９】
本発明に用いられる水としては、水道水、蒸留水、精製水、純水などを用いることができるが、腐敗やかびの発生の観点から精製蒸留水が好ましく用いられる。水は粘土全体量に対し、好ましくは１０〜９０重量％を用いることができる。
【００１０】
また、本発明には色移り防止剤として、脱脂粉乳、カゼイン、カゼインナトリウム、カゼインカルシウム、カゼインカリウム、カゼインマグネシウムから選ばれる１種又は２種以上を添加することが必須となる。これらは粘土全体量に対し、好ましくは０．０１〜３０重量％を用いることができる。
これらの色移り防止剤が、前記食用色素の色移りを防止するメカニズムは明らかではないが、カゼイン蛋白質が食用色素と強く結び付くことによって水溶液への再溶解が阻害されるためと思われる。
なお、前記脱脂粉乳やカゼインを可溶容易にするため、溶解助剤として塩化カルシウム、クエン酸カルシウム、クエン酸三ナトリウム、炭酸水素ナトリウム、結晶化炭酸ナトリウム、無水炭酸ナトリウム、結晶化ピロリン酸四ナトリウム、無水ピロリン酸四ナトリウム、ポリリン酸カリウム、ポリリン酸ナトリウム、メタリン酸カリウム、メタリン酸ナトリウム、結晶化リン酸水素二ナトリウム、無水リン酸水素二ナトリウム、結晶化リン酸二水素ナトリウム、無水リン酸二水素ナトリウム、結晶化リン酸三ナトリウム、無水リン酸三ナトリウムを更に添加することができる。
【００１１】
更に、本発明には、防腐防かび剤や、安定剤や、香料などを添加しても良い。
以下、本発明を実施例および比較例により説明する。
【実施例】
【００１２】
（実施例１）
小麦粉６５重量部、塩１重量部、食用青色１号０．０１重量部、精製蒸留水３２重量部、脱脂粉乳１重量部、クエン酸ナトリウム１重量部を混練りし、青色の工作用粘土を得た。
当該粘土を５分間手でこねても、手が青色に染まることはなかった。
（比較例１）
小麦粉６６重量部、塩１重量部、食用青色１号０．０１重量部、精製蒸留水３３重量部を混練りし、青色の工作用粘土を得た。
当該粘土を５分間手でこねたところ、手が青色に染まった。
【００１３】
（実施例２）
パルプ粉末１５重量部、タルク３０重量部、中空発泡体１０重量部、カルボキシメチルセルロース（ＣＭＣ）１０重量部、食用色素黄色４号０．１重量部、カゼイン１重量部、クエン酸三ナトリウム１重量部、精製蒸留水３３重量部を混練りし、黄色の工作用粘土を得た。
当該粘土を５分間手でこねても、手が黄色に染まることはなかった。
（比較例２）
パルプ粉末１５重量部、タルク３０重量部、中空発泡体１０重量部、カルボキシメチルセルロース（ＣＭＣ）１０重量部、食用色素黄色４号０．１重量部、精製蒸留水３５重量部を混練りし、黄色の工作用粘土を得た。
当該粘土を５分間手でこねたところ、手が黄色に染まった。
【００１４】
（実施例３）
カンテンを用いた粘土の粉末４９．５重量部、食用赤色３号０．１重量部、精製蒸留水４９．５重量部、カゼインナトリウム１重量部を混練りし、赤色の工作用粘土を得た。
当該粘土を５分間手でこねても、手が赤色に染まることはなかった。
（比較例３）
カンテンを用いた粘土の粉末５０重量部、食用赤色３号０．１重量部、精製蒸留水５０重量部を混練りし、赤色の工作用粘土を得た。
当該粘土を５分間手でこねたところ、手が赤色に染まった。
【００１５】
（実施例４）
小麦粉６５重量部、塩１重量部、クチナシ青色素１重量部、食用青色１号０．０１重量部、精製蒸留水３０重量部、脱脂粉乳１重量部、クエン酸ナトリウム１重量部を混練りし、青色の工作用粘土を得た。
当該粘土を５分間手でこねても、手が青色に染まることはなかった。
（比較例４）
小麦粉６５重量部、塩１重量部、クチナシ青色素１重量部、食用青色１号０．０１重量部、精製蒸留水３２重量部を混練りし、青色の工作用粘土を得た。
当該粘土を５分間手でこねたところ、手が青色に染まった。
【００１６】
（実施例５）
パルプ粉末１５重量部、タルク３０重量部、中空発泡体１０重量部、カルボキシメチルセルロース（ＣＭＣ）１０重量部、ベニバナ黄色素１重量部、食用色素黄色４号０．１重量部、カゼイン１重量部、クエン酸三ナトリウム１重量部、精製蒸留水３１重量部を混練りし、黄色の工作用粘土を得た。
当該粘土を５分間手でこねても、手が黄色に染まることはなかった。
（比較例５）
パルプ粉末１５重量部、タルク３０重量部、中空発泡体１０重量部、カルボキシメチルセルロース（ＣＭＣ）１０重量部、ベニバナ黄色素１重量部、食用色素黄色４号０．１重量部、精製蒸留水３３重量部を混練りし、黄色の工作用粘土を得た。
当該粘土を５分間手でこねたところ、手が黄色に染まった。
【００１７】
（実施例６）
カンテンを用いた粘土の粉末４９重量部、ベニコウジ色素１重量部、食用赤色３号０．１重量部、精製蒸留水４８重量部、カゼインナトリウム１重量部を混練りし、赤色の工作用粘土を得た。
当該粘土を５分間手でこねても、手が赤色に染まることはなかった。
（比較例６）
カンテンを用いた粘土の粉末４９重量部、ベニコウジ色素１重量部、食用赤色３号０．１重量部、精製蒸留水４９重量部を混練りし、赤色の工作用粘土を得た。
当該粘土を５分間手でこねたところ、手が赤色に染まった。